(57)【特許請求の範囲】
【請求項１】
予め設定された基準位置を示す基準位置情報及び電子マネーの残高を示す残高情報を記憶する情報記録媒体に、前記電子マネーをチャージするチャージ端末と、前記チャージ端末とネットワークを介して接続されたサーバと、を備えるチャージシステムであって、
前記チャージ端末は、
前記情報記録媒体から、前記基準位置情報及び前記残高情報を読み込み、前記電子マネーがチャージされた更新残高情報を前記情報記録媒体に書き込む読み書き手段と、
前記読み書き手段で読み込んだ前記基準位置情報、前記残高情報及び前記チャージ端末の位置を示す端末位置情報を前記サーバに送信する端末制御手段と、を有し、
前記サーバは、
前記チャージ端末から前記基準位置情報、前記残高情報及び前記端末位置情報を受信する受信手段と、
前記基準位置情報で示される基準位置と前記端末位置情報で示される端末位置との位置関係と、当該位置関係に応じた前記電子マネーのチャージ金額とを対応付けて記憶する記憶手段と、
前記記憶手段を参照して、前記受信手段が受信した前記基準位置情報及び前記端末位置情報に基づき、前記チャージ金額を抽出する抽出手段と、
前記抽出手段が抽出した前記チャージ金額を、前記受信手段が受信した前記残高情報で示される前記電子マネーの前記残高に、加算した金額を示す前記更新残高情報を生成する更新手段と、
前記更新手段が生成した前記更新残高情報を前記チャージ端末に送信する送信手段と、を有し、
前記チャージ端末の前記端末制御手段は、前記サーバから前記更新残高情報を受信し、前記読み書き手段により、受信した前記更新残高情報を前記情報記録媒体に書き込むことを特徴とするチャージシステム。
【請求項２】
前記情報記録媒体は、前記基準位置情報として、予め設定された基準となる駅を特定する基準駅情報を記憶し、
前記チャージ端末は、駅に設置され、前記端末制御手段により、前記端末位置情報として、当該チャージ端末が設置された駅を特定する端末設置駅情報を前記サーバに送信することを特徴とする請求項１に記載のチャージシステム。
【請求項３】
前記チャージ端末は、ＧＰＳ衛星から、ＧＰＳ信号を受信するＧＰＳ信号受信手段を、更に、備え、
前記端末制御手段は、受信した前記ＧＰＳ信号に基づき、前記情報記録媒体から前記基準位置情報を読み込んだ時の位置情報を算出し、当該位置情報を前記端末位置情報として前記サーバに送信することを特徴とする請求項１又は２に記載のチャージシステム。
【請求項４】
前記情報記録媒体は、前記電子マネーが最後に引かれた時刻を示す時刻情報を前記残高情報に含めて記憶し、
前記サーバは、前記残高情報に含まれる前記時刻情報が示す時刻から所定時間経過しているか否かを判定する判定手段を、更に、備え、
前記抽出手段は、
前記判定手段が前記所定時間を経過していないと判定した場合には、前記記憶手段を参照して、前記受信手段が受信した前記基準位置情報及び前記端末位置情報に基づき、前記チャージ金額を抽出し、
前記判定手段が前記所定時間を経過していると判定した場合には、前記記憶手段を参照して、金額が最低の前記チャージ金額を抽出することを特徴とする請求項１から３のいずれかに記載のチャージシステム。
【請求項５】
前記チャージ端末は、顧客の操作により暗証番号を受け付ける暗証番号取得手段を、更に、備え、
前記端末制御手段は、更に、前記暗証番号を示す暗証番号情報を前記サーバに送信し、
前記サーバは、前記チャージ端末から送信された前記暗証番号情報が示す前記暗証番号を認証する認証手段を、更に、備え、
前記抽出手段は、前記判定手段が前記所定時間を経過していると判定した場合に、前記認証手段が前記暗証番号を認証したことを条件に、前記記憶手段を参照して、前記受信手段が受信した前記基準位置情報及び前記端末位置情報に基づき、前記チャージ金額を抽出することを特徴とする請求項４に記載のチャージシステム。
【請求項６】
予め設定された基準位置を示す基準位置情報及び電子マネーの残高を示す残高情報を記憶する情報記録媒体に、前記電子マネーをチャージするチャージ端末と、前記チャージ端末とネットワークを介して接続されたサーバと、を備えるチャージシステムが実行するチャージ方法において、
前記チャージ端末が実行する方法は、
前記情報記録媒体から、前記基準位置情報及び前記残高情報を読み込み、前記電子マネーがチャージされた更新残高情報を前記情報記録媒体に書き込む読み書き段階と、
前記読み書き段階で読み込んだ前記基準位置情報、前記残高情報及び前記チャージ端末の位置を示す端末位置情報を前記サーバに送信する端末制御段階と、を含み、
前記サーバが実行する方法は、
前記チャージ端末から前記基準位置情報、前記残高情報及び前記端末位置情報を受信する受信段階と、
前記基準位置情報で示される基準位置と前記端末位置情報で示される端末位置との位置関係と、当該位置関係に応じた前記電子マネーのチャージ金額とを対応付けて記憶する記憶手段を参照して、前記受信段階で受信した前記基準位置情報及び前記端末位置情報に基づき、前記チャージ金額を抽出する抽出段階と、
前記抽出段階で抽出した前記チャージ金額を、前記受信段階で受信した前記残高情報で示される前記電子マネーの前記残高に、加算した金額を示す前記更新残高情報を生成する更新段階と、
前記更新段階で生成した前記更新残高情報を前記チャージ端末に送信する送信段階と、を含み、
前記チャージ端末の前記端末制御段階では、前記サーバから前記更新残高情報を受信し、受信した前記更新残高情報を前記情報記録媒体に書き込むことを特徴とするチャージ方法。
【発明の詳細な説明】
【技術分野】
【０００１】
本発明は、チャージシステム及びチャージシステムのチャージ方法に関する。
【背景技術】
【０００２】
従来、顧客は、ＩＣカード等の記憶媒体にチャージされた電子マネーにより交通機関の乗車料金等を支払うことができる。また、顧客は、駅等に設置されたチャージ端末（例えば、券売機）において、記憶媒体に電子マネーをチャージできる。
【０００３】
ところが、駅等に設置されたチャージ端末には、記憶媒体に電子マネーのチャージを求める人の行列ができる場合が多々ある。これは、チャージ端末において、記憶媒体に電子マネーをチャージするには多くの手順があり、各人のチャージに時間がかかるためである。即ち、チャージ端末において、記憶媒体に電子マネーをチャージするには、まず、記憶媒体をチャージ端末にいれ、チャージ端末に表示された画面において金額等を選択し、財布から金銭を出し、金銭をチャージ端末に入れ、チャージ端末から釣りを受け取り、釣りを財布にしまい、チャージ端末から記憶媒体を取り出す、という多くの手順をとる必要がある。
【０００４】
そこで、ＩＣカードに電子バリューを記録しておき、ＩＣカードを保持した利用者が、自動改札機を通過する際に電子バリューから乗車料金を差し引き、電子バリュー残高が、所定の額より少なくなれば、所定の電子バリュー額を補充する技術が提案されている（例えば、特許文献１参照）。この技術によれば、電子マネーが少なくなれば、自動的に所定の額の電子マネーがチャージされるので、記憶媒体に電子マネーをチャージする手間を削減できる。
【先行技術文献】
【特許文献】
【０００５】
【特許文献１】特開２００２−３３４２８４号公報
【発明の概要】
【発明が解決しようとする課題】
【０００６】
しかしながら、記憶媒体に自動的にチャージされる所定の額は、大きい額であると、記憶媒体を紛失した場合に、損害が大きくなり好ましくない。一方、交通車両の乗車料金は、乗車距離が大きくなるほど高くなる。このような場合、記憶媒体に自動的にチャージされる所定の額が小さいと、乗車料金が足りなくなるおそれがある。
【０００７】
本発明は、上記のような課題に鑑み、なされたものであり、記憶媒体に電子マネーをチャージする手間を削減するとともに、移動距離に応じた所定の額をチャージできるチャージシステム及びチャージシステムのチャージ方法を提供することを目的とする。
【課題を解決するための手段】
【０００８】
上記のような課題を解決するため、本発明のチャージシステム及びチャージシステムのチャージ方法は、以下のような特徴を備える。
【０００９】
本発明のチャージシステムは、予め設定された基準位置を示す基準位置情報及び電子マネーの残高を示す残高情報を記憶する情報記録媒体に、前記電子マネーをチャージするチャージ端末と、前記チャージ端末とネットワークを介して接続されたサーバと、を備えるチャージシステムであって、前記チャージ端末は、前記情報記録媒体から、前記基準位置情報及び前記残高情報を読み込み、前記電子マネーがチャージされた更新残高情報を前記情報記録媒体に書き込む読み書き手段と、前記読み書き手段で読み込んだ前記基準位置情報、前記残高情報及び前記チャージ端末の位置を示す端末位置情報を前記サーバに送信する端末制御手段と、を有し、前記サーバは、前記チャージ端末から前記基準位置情報、前記残高情報及び前記端末位置情報を受信する受信手段と、前記基準位置情報で示される基準位置と前記端末位置情報で示される端末位置との位置関係と、当該位置関係に応じた前記電子マネーのチャージ金額とを対応付けて記憶する記憶手段と、前記記憶手段を参照して、前記受信手段が受信した前記基準位置情報及び前記端末位置情報に基づき、前記チャージ金額を抽出する抽出手段と、前記抽出手段が抽出した前記チャージ金額を、前記受信手段が受信した前記残高情報で示される前記電子マネーの前記残高に、加算した金額を示す前記更新残高情報を生成する更新手段と、前記更新手段が生成した前記更新残高情報を前記チャージ端末に送信する送信手段と、を有し、前記チャージ端末の前記端末制御手段は、前記サーバから前記更新残高情報を受信し、前記読み書き手段により、受信した前記更新残高情報を前記情報記録媒体に書き込むことを特徴とする。
【００１０】
上記構成によれば、チャージシステムは、予め設定された基準位置を示す基準位置情報及び電子マネーの残高を示す残高情報を記憶する情報記録媒体に、電子マネーをチャージするチャージ端末と、チャージ端末とネットワークを介して接続されたサーバと、を備える。チャージ端末において、読み書き手段は、情報記録媒体から、基準位置情報及び残高情報を読み込み、電子マネーがチャージされた更新残高情報を情報記録媒体に書き込む。端末制御手段は、読み書き手段で読み込んだ基準位置情報、残高情報及びチャージ端末の位置を示す端末位置情報をサーバに送信する。サーバにおいて、受信手段は、チャージ端末から基準位置情報、残高情報及び端末位置情報を受信する。記憶手段は、基準位置情報で示される基準位置と端末位置情報で示される端末位置との位置関係と、当該位置関係に応じた電子マネーのチャージ金額とを対応付けて記憶する。抽出手段は、記憶手段を参照して、受信手段が受信した基準位置情報及び端末位置情報に基づき、チャージ金額を抽出する。更新手段は、抽出手段が抽出したチャージ金額を、受信手段が受信した残高情報で示される電子マネーの残高に、加算した金額を示す更新残高情報を生成する。送信手段は、更新手段が生成した更新残高情報をチャージ端末に送信する。チャージ端末の端末制御手段は、サーバから更新残高情報を受信し、読み書き手段により、受信した更新残高情報を情報記録媒体に書き込む。
【００１１】
ここで、「情報記録媒体」とは、例えば、種々の情報を記憶及びチャージ端末により記憶された情報を更新できるＩＣカードや携帯端末である。また、「基準位置情報」とは、例えば、顧客の住居や職場の最寄りの駅やバス停の位置を特定する情報であり、駅名やバス停名を示す情報や住所を示す情報や緯度及び軽度を示す情報を含むである。また、「位置関係」は、基準位置と端末位置との距離や、基準位置と端末位置とが、例えば、駅であれば、基準駅から端末が設置された駅が何駅目か等の関係である。
【００１２】
このようにすることで、顧客は、基準位置から移動し、移動先のチャージ端末に情報記録媒体に記憶された基準位置情報及び残高情報を読み込ませるだけで、基準位置とチャージ端末の位置関係に応じたチャージ金額を、情報記録媒体にチャージできる。したがって、記憶媒体に電子マネーをチャージする手間を削減するとともに、移動距離に応じた所定の額をチャージできる。
【００１３】
また、上記チャージシステムの発明は、さらに以下の特徴を備えることができる。前記情報記録媒体は、前記基準位置情報として、予め設定された基準となる駅を特定する基準駅情報を記憶し、前記チャージ端末は、駅に設置され、前記端末制御手段により、前記端末位置情報として、当該チャージ端末が設置された駅を特定する端末設置駅情報を前記サーバに送信することを特徴とする。
【００１４】
上記構成によれば、顧客は、例えば、最寄りの駅を基準位置とし、移動先の駅に設けられたチャージ端末に、情報記録媒体に記憶された基準位置情報及び残高情報を読み込ませるだけで、最寄りの駅と移動先の駅の位置関係に応じたチャージ金額を、情報記録媒体にチャージできる。したがって、記憶媒体に電子マネーをチャージする手間を削減するとともに、移動先の駅に応じた所定の額をチャージできる。
【００１５】
また、上記チャージシステムの発明は、以下の特徴を備えることができる。前記チャージ端末は、ＧＰＳ衛星から、ＧＰＳ信号を受信するＧＰＳ信号受信手段を、更に、備え、前記端末制御手段は、受信した前記ＧＰＳ信号に基づき、前記情報記録媒体から前記基準位置情報を読み込んだ時の位置情報を算出し、当該位置情報を前記端末位置情報として前記サーバに送信することを特徴とする。
【００１６】
上記構成によれば、顧客は、例えば、最寄りのバス停を基準位置とし、例えば、移動するバスに設けられたチャージ端末に、情報記録媒体に記憶された基準位置情報及び残高情報を読み込ませるだけで、最寄りのバス停とＧＰＳ信号に基づき算出された位置情報で特定される移動先（例えば、降車するバス停）との位置関係に応じたチャージ金額を、情報記録媒体にチャージできる。したがって、チャージ端末自体が移動する場合であっても、記憶媒体に電子マネーをチャージする手間を削減するとともに、移動距離に応じた所定の額をチャージできる。
【００１７】
また、上記チャージシステムの発明は、以下の特徴を備えることができる。前記情報記録媒体は、前記電子マネーが最後に引かれた時刻を示す時刻情報を前記残高情報に含めて記憶し、前記サーバは、前記残高情報に含まれる前記時刻情報が示す時刻から所定時間経過しているか否かを判定する判定手段を、更に、備え、前記抽出手段は、前記判定手段が前記所定時間を経過していないと判定した場合には、前記記憶手段を参照して、前記受信手段が受信した前記基準位置情報及び前記端末位置情報に基づき、前記チャージ金額を抽出し、前記判定手段が前記所定時間を経過していると判定した場合には、前記記憶手段を参照して、金額が最低の前記チャージ金額を抽出することを特徴とする。
【００１８】
上記構成によれば、情報記録媒体は、電子マネーが最後に引かれた時刻（例えば、降車駅で交通料金が引かれた時刻）を示す時刻情報を記憶する。そして、情報記録媒体には、この時刻から所定時間経過していなければ、基準位置とチャージ端末の位置関係に応じたチャージ金額がチャージされる。一方、情報記録媒体には、この時刻から所定時間経過していた場合には、金額が最低のチャージ金額しかチャージされない。
【００１９】
ここで、情報記録媒体は、使用したときに紛失する可能性が大きい。そして、情報記録媒体が最後に使用されて所定時間経過してから、再度、使用された場合、顧客が紛失した情報記録媒体が他者に使用されている可能性が高い。しかしながら、上記構成によれば、このような場合には、最低限の金額しかチャージされていないので、顧客の損害を最低限に抑えることができる。
【００２０】
また、上記チャージシステムの発明は、以下の特徴を備えることができる。前記チャージ端末は、顧客の操作により暗証番号を受け付ける暗証番号取得手段を、更に、備え、前記端末制御手段は、更に、前記暗証番号を示す暗証番号情報を前記サーバに送信し、前記サーバは、前記チャージ端末から送信された前記暗証番号情報が示す前記暗証番号を認証する認証手段を、更に、備え、前記抽出手段は、前記判定手段が前記所定時間を経過していると判定した場合に、前記認証手段が前記暗証番号を認証したことを条件に、前記記憶手段を参照して、前記受信手段が受信した前記基準位置情報及び前記端末位置情報に基づき、前記チャージ金額を抽出することを特徴とする。
【００２１】
上記構成によれば、顧客は、電子マネーが最後に引かれた時刻から所定時間経過した後でも、暗証番号を入力することで、情報記録媒体に、基準位置とチャージ端末の位置関係に応じたチャージ金額をチャージすることができる。これにより、例えば、情報記録媒体を他者に使用された場合には顧客の損害を最低限に抑えつつ、顧客が使用した場合には基準位置とチャージ端末の位置関係に応じたチャージ金額をチャージすることができる。
【００２２】
また、本発明は、以下のように、チャージシステムのチャージ方法と捉えることも可能である。予め設定された基準位置を示す基準位置情報及び電子マネーの残高を示す残高情報を記憶する情報記録媒体に、前記電子マネーをチャージするチャージ端末と、前記チャージ端末とネットワークを介して接続されたサーバと、を備えるチャージシステムが実行するチャージ方法において、前記チャージ端末が実行する方法は、前記情報記録媒体から、前記基準位置情報及び前記残高情報を読み込み、前記電子マネーがチャージされた更新残高情報を前記情報記録媒体に書き込む読み書き段階と、前記読み書き段階で読み込んだ前記基準位置情報、前記残高情報及び前記チャージ端末の位置を示す端末位置情報を前記サーバに送信する端末制御段階と、を含み、前記サーバが実行する方法は、前記チャージ端末から前記基準位置情報、前記残高情報及び前記端末位置情報を受信する受信段階と、前記基準位置情報で示される基準位置と前記端末位置情報で示される端末位置との位置関係と、当該位置関係に応じた前記電子マネーのチャージ金額とを対応付けて記憶する記憶手段を参照して、前記受信段階で受信した前記基準位置情報及び前記端末位置情報に基づき、前記チャージ金額を抽出する抽出段階と、前記抽出段階で抽出した前記チャージ金額を、前記受信段階で受信した前記残高情報で示される前記電子マネーの前記残高に、加算した金額を示す前記更新残高情報を生成する更新段階と、前記更新段階で生成した前記更新残高情報を前記チャージ端末に送信する送信段階と、を含み、前記チャージ端末の前記端末制御段階では、前記サーバから前記更新残高情報を受信し、受信した前記更新残高情報を前記情報記録媒体に書き込むことを特徴とするチャージ方法。
【発明の効果】
【００２３】
本発明によれば、記憶媒体に電子マネーをチャージする手間を削減するとともに、移動距離に応じた所定の額をチャージできるチャージシステム及びチャージシステムのチャージ方法を提供することができる。
【図面の簡単な説明】
【００２４】
【図１】本発明の実施形態に係るチャージシステムの概要を示す図である。
【図２】本発明の実施形態に係るチャージシステムの機能ブロックを示す図である。
【図３】本発明の実施形態に係るチャージ金額ＤＢを説明する図である。
【図４】本発明の実施形態に係るチャージシステムのチャージ端末におけるチャージ処理フローを示す図である。
【図５】本発明の実施形態に係るチャージシステムのサーバにおけるチャージ処理フローを示す図である。
【発明を実施するための形態】
【００２５】
以下、添付図面を参照して、本発明を実施するための形態（以下、実施形態）について詳細に説明する。なお、実施形態の説明の全体を通して同じ構成には同じ番号（符号）を付している。
【００２６】
まず、本発明の実施形態に係るチャージシステム１の概要について説明する。チャージシステム１の概要は以下のとおりである。チャージシステム１は、例えば、交通車両の駅（例えば、改札近傍）や車両の中に設置されたチャージ端末に、顧客が情報記録媒体（例えば、ＩＣカード（integrated  circuit  card）や携帯端末）を近接させることで、移動距離に応じた額の電子マネーが情報記録媒体にチャージされるシステムである。詳細には、以下のとおりである。
【００２７】
図１は、本発明の実施形態に係るチャージシステム１の概要を示す図である。チャージシステム１は、予め設定された基準位置を示す基準位置情報及び電子マネーの残高を示す残高情報を記憶する情報記録媒体２に、電子マネーをチャージするチャージ端末１０と、チャージ端末１０とネットワークを介して接続されたサーバ２０と、を備える。
【００２８】
本実施形態において、基準位置はＺ駅であり、チャージ端末１０は、例えば、Ａ駅（基準位置から１０ｋｍの位置）、Ｂ駅（基準位置から２０ｋｍの位置）、Ｃ駅（基準位置から３０ｋｍの位置）及びＤ駅（基準位置から４０ｋｍの位置）に設置されている。
【００２９】
まず、チャージ端末１０は、ユーザにより情報記録媒体２が近接されると、情報記録媒体２から基準位置情報及び残高情報を読み込む。そして、チャージ端末１０は、基準位置情報及び残高情報と当該チャージ端末１０の位置を示す端末位置情報とをサーバ２０に送信する。サーバ２０は、基準位置とチャージ端末１０の位置との位置関係に応じたチャージ金額を、残高情報で示される電子マネーの残高に、加算した金額を示す更新残高情報をチャージ端末１０に送信する。そして、チャージ端末１０は、更新残高情報を情報記録媒体に書き込む。本実施形態において、サーバ２０は、基準位置とチャージ端末１０の位置との距離が離れるほど、大きい金額のチャージ金額を加算する。即ち、チャージシステム１は、基準位置から離れたチャージ端末１０ほど、大きい金額の電子マネーを情報記録媒体２にチャージする。
【００３０】
図１において、上下に延びる矢印は、基準位置（Ｚ駅）からの距離を示し、基準位置から離れるほど、基準位置からの距離が大きいことを示す。具体的には、チャージシステム１は、Ａ駅に設置されたチャージ端末１０に情報記録媒体２が近接された場合、当該情報記録媒体２に、例えば、１０００円分の電子マネーをチャージする。一方、チャージシステム１は、Ｄ駅に設置されたチャージ端末１０に情報記録媒体２が近接された場合、当該情報記録媒体２に、例えば、４０００円分の電子マネーをチャージする。
【００３１】
これにより、顧客は、基準位置から移動し、移動先のチャージ端末１０に情報記録媒体２に記憶された基準位置情報及び残高情報を読み込ませるだけで、基準位置とチャージ端末１０の位置関係に応じたチャージ金額を、情報記録媒体２にチャージできる。したがって、情報記憶媒体２に電子マネーをチャージする手間を削減するとともに、移動距離に応じた所定の額をチャージできる。
【００３２】
次に、本発明の実施形態に係るチャージシステム１の機能構成について説明する。図２は、本発明の実施形態に係るチャージシステム１の機能ブロックを示す図である。
【００３３】
チャージ端末１０は、読み書き手段１１と、ＧＰＳ信号受信手段１２と、暗証番号取得手段１３と、端末制御手段１４と、を備える。
読み書き手段１１は、情報記録媒体２（図１参照）から、各種情報を読み込み、電子マネーがチャージされた更新残高情報を情報記録媒体に書き込む。
【００３４】
本実施形態において、情報記録媒体２は、非接触型のＩＣカードで構成され、半導体メモリに各種情報を記憶し、リーダーライターとしてのチャージ端末１０と電磁誘導により結合することで、チャージ端末１０から電力供給を受けるとともに、各種情報を互いに送受信する。なお、情報記録媒体２は、チャージ端末１０により情報の読み出し及び書き込みができる限り、磁気カード等の任意の構成とすることができる。
【００３５】
また、チャージ端末１０が情報記録媒体２から読み込む各種情報は、当該情報記録媒体２を示すＩＤ情報、基準位置を示す基準位置情報及び電子マネーの残高を示す残高情報を含む。また、基準位置情報には、予め設定された基準となる交通車両の駅を特定する基準駅情報を含む。また、残高情報には、情報記録媒体２において、電子マネーが最後に引かれた時刻を示す時刻情報を含む。
【００３６】
ＧＰＳ信号受信手段１２は、ＧＰＳ（Ｇｌｏｂａｌ  Ｐｏｓｉｔｉｏｎｉｎｇ  Ｓｙｓｔｅｍ）衛星から、ＧＰＳ信号を受信する。暗証番号取得手段１３は、キーボードやタッチパネル等の入力手段を備え、当該入力手段における顧客の操作により暗証番号を受け付ける。
【００３７】
端末制御手段１４は、読み書き手段１１で読み込んだ基準位置情報（端末設置駅情報を含む）、残高情報（時刻情報を含む）及びチャージ端末１０が設置された位置を示す端末位置情報をサーバ２０に送信する。ここで、端末位置情報には、予め記憶された当該チャージ端末１０が設置された駅を特定する端末設置駅情報を含む。また、端末制御手段１４は、ＧＰＳ信号受信手段１２で受信したＧＰＳ信号に基づき、情報記録媒体２（図１参照）から基準位置情報を読み込んだ時の位置情報を算出し、当該位置情報を端末位置情報としてサーバ２０に送信する。また、端末制御手段１４は、暗証番号取得手段１３で受け付けた暗証番号を示す暗証番号情報をサーバ２０に送信する。また、端末制御手段１４は、サーバ２０から後述する更新残高情報を受信し、読み書き手段１１により、受信した更新残高情報を情報記録媒体２に書き込む。
【００３８】
なお、例えば、情報記録媒体を、ＧＰＳ信号を受信可能な携帯端末で構成した場合、端末制御手段１４は、携帯端末が受信したＧＰＳ信号を取得し、当該取得したＧＰＳ信号に基づき、位置情報を算出してもよい。また、端末制御手段１４は、携帯端末が受信したＧＰＳ信号に基づき算出した位置情報を取得し、この取得した位置情報を端末位置情報としてサーバ２０に送信してもよい。
【００３９】
サーバ２０は、受信手段２１と、判定手段２２と、認証手段２３と、抽出手段２４と、記憶手段としてのチャージ金額データベース（以下、チャージ金額ＤＢとも言う）２５と、更新手段２６と、送信手段２７と、を備える。
【００４０】
受信手段２１は、チャージ端末１０から基準位置情報、残高情報、端末位置情報及び暗証番号情報を受信する。
【００４１】
判定手段２２は、受信手段２１が基準位置情報、残高情報及び端末位置情報を受信した時刻が、受信手段２１が受信した残高情報に含まれる時刻情報が示す時刻から所定時間（例えば、１０分間）経過しているか否かを判定する。
【００４２】
認証手段２３は、例えば、情報記録媒体２（図１参照）を所持する顧客に関する顧客情報（例えば、名前、金融機関の口座番号、暗証番号等を含む情報）を記憶する顧客サーバ（図示なし）を参照し、受信手段２１が受信した暗証番号情報が示す暗証番号が予め登録されたものか否かを判定し、登録されたものと判定した場合には認証する。
【００４３】
抽出手段２４は、チャージ金額ＤＢ２５参照して、受信手段２１が受信した基準位置情報及び端末位置情報に基づき、チャージ金額を抽出する。
【００４４】
チャージ金額ＤＢ２５は、基準位置情報で示される基準位置と端末位置情報で示される端末位置との位置関係と、当該位置関係に応じた電子マネーのチャージ金額とを対応付けて記憶する。
【００４５】
図３は、本発明の実施形態に係るチャージ金額ＤＢ２５を説明する図である。チャージ金額ＤＢ２５は、チャージ端末１０が設置された駅と特定する端末設置駅情報に、基準位置（図３の例ではＺ駅）からの距離と、各駅に設置されたチャージ端末１０においてチャージされるチャージ金額と、が対応付けて記憶されている。
【００４６】
抽出手段２４は、判定手段２２が所定時間を経過していないと判定した場合には、チャージ金額ＤＢ２５を参照して、受信手段２１が受信した基準位置情報及び端末位置情報に基づき、チャージ金額を抽出する。具体的には、抽出手段２４は、図３の例によれば、受信手段２１が受信した端末位置情報がＢ駅であれば、チャージ金額として２０００円を示す情報を抽出する。
【００４７】
一方、抽出手段２４は、判定手段２２が所定時間を経過していると判定した場合には、チャージ金額ＤＢ２５を参照して、金額が最低のチャージ金額を抽出する。具体的には、抽出手段２４は、図３の例によれば、受信手段２１が受信した端末位置情報がＢ駅であっても、所定時間を経過している場合は、チャージ金額ＤＢ２５において、チャージ金額として最低金額である１０００円を示す情報を抽出する。
【００４８】
更に、抽出手段２４は、判定手段２２が所定時間を経過していると判定した場合であっても、認証手段２３が暗証番号を認証したことを条件に、チャージ金額ＤＢ２５を参照して、受信手段２１が受信した基準位置情報及び端末位置情報に基づき、チャージ金額を抽出する。具体的には、抽出手段２４は、図３の例によれば、所定時間を経過していても暗証番号が認証されれば、受信手段２１が受信した端末位置情報がＢ駅であれば、チャージ金額ＤＢ２５に規定されたとおり、チャージ金額として２０００円を示す情報を抽出する。
【００４９】
図２に戻って、更新手段２６は、抽出手段２４が抽出したチャージ金額を、受信手段２１が受信した残高情報で示される電子マネーの残高に、加算した金額を示す更新残高情報を生成する。送信手段２７は、更新手段２６が生成した更新残高情報をチャージ端末１０に送信する。
【００５０】
なお、図２に示した機能ブロックは、あくまでも一例であり、一つの機能部を分割したり、複数の機能部をまとめて一つの機能部として構成してもよい。サーバ２０も一台とは限らず、複数台であってもよい。各機能部は、チャージ端末１０及びサーバ２０に内蔵されたＣＰＵ(Central  Processing  Unit)が、ＲＯＭ(Read  Only  Memory)またはハードディスク等の記憶装置に格納されたコンピュータ・プログラムを読み出し、ＣＰＵにより実行されるコンピュータ・プログラムが、記憶装置に格納されたデータベース(ＤＢ;Data  Base)やメモリ上の記憶領域からテーブル等の必要なデータを読み書きし、場合によっては、関連するハードウェア（例えば、入出力装置、表示装置、通信インターフェース装置）を制御することによって実現される。また、本発明の実施形態におけるデータベース（ＤＢ）は、商用データベースであってよいが、単なるテーブルやファイルの集合体をも意味し、データベースの内部構造自体は問わない。
【００５１】
次に、本発明の実施形態に係るチャージシステム１におけるチャージ処理について説明する。図４は、本発明の実施形態に係るチャージシステム１のチャージ端末１０におけるチャージ処理フローを示す図である。
【００５２】
ステップＳ１１において、読み書き手段１１は、情報記録媒体２から、基準位置情報及び残高情報を読み込む。ステップＳ１２において、端末制御手段１４は、ステップＳ１で読み書き手段１１で読み込んだ基準位置情報、残高情報及び端末位置情報をサーバ２０に送信する。
【００５３】
ステップＳ１３において、端末制御手段１４は、暗証番号取得手段１３において顧客の操作により暗証番号を受け付けたか否かを判定し、暗証番号を受け付けたと判定した場合にはステップＳ１４に処理を移し、暗証番号を受け付けていないと判定した場合にはステップＳ１５に処理を移す。
【００５４】
ステップＳ１４において、端末制御手段１４は、暗証番号取得手段１３で受け付けた暗証番号を示す暗証番号情報をサーバ２０に送信する。
【００５５】
ステップＳ１５において、端末制御手段１４は、サーバ２０から更新残高情報を受信する。ステップＳ１６において、端末制御手段１４は、ステップＳ１５で受信した更新残高情報を情報記録媒体２に書き込む。
【００５６】
図５は、本発明の実施形態に係るチャージシステム１のサーバ２０におけるチャージ処理フローを示す図である。
【００５７】
ステップＳ２１において、受信手段２１は、チャージ端末１０から基準位置情報、残高情報及び端末位置情報を受信する。
【００５８】
ステップＳ２２において、受信手段２１は、チャージ端末１０から暗証番号情報を受信する。なお、本ステップにおいて、認証手段２３は、ステップＳ２１において、受信手段２１が基準位置情報、残高情報及び端末位置情報を受信してから、所定期間（例えば、２分間）以内に、受信手段２１が暗証番号情報を受信しない場合には、暗証番号情報の送信はないものと判定し、ステップＳ２３に処理を移す。
【００５９】
ステップＳ２３において、判定手段２２は、ステップＳ２１で受信手段２１が基準位置情報、残高情報及び端末位置情報を受信した時刻が、受信手段２１が受信した残高情報に含まれる時刻情報が示す時刻から所定時間経過しているか否かを判定する。判定手段２２は、所定時間経過していると判定した場合にはステップＳ２４に処理を移し、所定時間経過していないと判定した場合にはステップＳ２５に処理を移す。
【００６０】
ステップＳ２４において、認証手段２３は、ステップＳ２２で受信手段２１が受信した暗証番号情報が示す暗証番号が予め登録されたものか否かを判定する。認証手段２３は、予め登録されたものと判定した場合には当該暗証番号を認証し、ステップＳ２５に処理を移し、予め登録されたものでないと判定した場合又はステップＳ２２で暗証番号情報の送信はないものと判定した場合にはステップＳ２６に処理を移す。
【００６１】
ステップＳ２５において、抽出手段２４は、チャージ金額ＤＢ２５を参照して、受信手段２１が受信した基準位置情報及び端末位置情報に基づき、チャージ金額を抽出する。ステップＳ２６において、抽出手段２４は、チャージ金額ＤＢ２５を参照して、金額が最低のチャージ金額を抽出する。
【００６２】
ステップＳ２７において、更新手段２６は、ステップＳ２５又はステップＳ２６で抽出手段２４が抽出したチャージ金額を、ステップＳ２１で受信手段２１が受信した残高情報で示される電子マネーの残高に、加算した金額を示す更新残高情報を生成する。ステップＳ２８において、送信手段２７は、ステップＳ２７で更新手段２６が生成した更新残高情報をチャージ端末１０に送信する。
【００６３】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００６４】
１    チャージシステム
２    情報記録媒体
１０  チャージ端末
１１  読み書き手段
１２  ＧＰＳ信号受信手段
１３  暗証番号取得手段
１４  端末制御手段
２０  サーバ
２１  受信手段
２２  判定手段
２３  認証手段
２４  抽出手段
２５  チャージ金額ＤＢ
２６  更新手段
２７  送信手段
【図１】
0005959945.tif 000002
【図２】
0005959945.tif 000003
【図３】
0005959945.tif 000004
【図４】
0005959945.tif 000005
【図５】
0005959945.tif 000006